(57)【要約】【課題】全体に占める有効表示領域の割合の拡大に適した構造の表示装置を提供する。【解決手段】この表示装置は、少なくとも一方が光透過性を有すると共に互いの対向面に第１および第２の電極がそれぞれ設けられた第１および第２の基板と、第１の基板と第２の基板との間に設けられた表示素子とを備える。第１の基板および第１の電極は、第２の基板の端面の少なくとも一部を覆うように折り曲げられた外縁部を有する。【選択図】図３
2012215841.tif 000002
【特許請求の範囲】
【請求項１】
少なくとも一方が光透過性を有すると共に互いの対向面に第１および第２の電極がそれぞれ設けられた第１および第２の基板と、
前記第１の基板と前記第２の基板との間に設けられた表示素子とを備え、
前記第１の基板および第１の電極は、前記第２の基板の端面の少なくとも一部を覆うように折り曲げられた外縁部を有する
表示装置。
【請求項２】
前記第１の電極の外縁部は、前記第２の基板に設けられた第３の電極と接続されている
請求項１記載の表示装置。
【請求項３】
前記第１の基板および第１の電極の外縁部は、前記第２の基板の背面の少なくとも一部をも覆うように折り返されている
請求項２記載の表示装置。
【請求項４】
前記第３の電極は、前記第２の基板の背面に設けられている
請求項３記載の表示装置。
【請求項５】
前記第１の電極は複数の画素に対して共通に設けられた共通電極であり、
前記第２の電極は前記画素ごとに複数設けられた画素電極であり、
前記第３の電極は前記第１の電極の電位を決定する駆動電極である
請求項２記載の表示装置。
【請求項６】
前記表示素子は、前記第２の基板の対向面の全てに対応して設けられている
請求項１記載の表示装置。
【請求項７】
前記第２の基板と前記第２の電極との間に、互いに交差するように設けられた複数の第１および第２の信号線を備え、
前記複数の第１の信号線のうちの少なくとも一端と、前記複数の第２の信号線のうちの少なくとも一端とが、それぞれ前記第２の基板の端面から背面へ至るまで折り返されている
請求項１記載の表示装置。
【請求項８】
前記第２の基板の背面に、前記第１および第２の信号線へ信号を供給する信号処理回路が設けられている
請求項１記載の表示装置。
【請求項９】
前記第２の基板の上面に、前記第１および第２の信号線へ信号を供給する信号処理回路が設けられている
請求項１記載の表示装置。
【請求項１０】
前記表示素子は電気泳動素子であって、
絶縁性液体中に、複数の電気泳動粒子と、前記電気泳動粒子とは異なる光学的反射特性を有する複数の非泳動粒子を含有する多孔質の構造体とを含む
請求項１記載の表示装置。
【発明の詳細な説明】
【技術分野】
【０００１】
本開示は、電気泳動素子などの表示素子を備えた表示装置に関する。
【背景技術】
【０００２】
近年、いわゆる電子書籍端末と呼ばれる読書用途のディスプレイとして、反射型ディスプレイが提案されている。なかでも、電気泳動現象を利用してコントラストを生じさせる電気泳動型ディスプレイが注目されている。低消費電力であると共に高速応答性に優れるからである。
【０００３】
電気泳動型ディスプレイは、例えば、マトリックス状に画素電極を配置した第１の基板と、対向電極が設けられた第２の基板との間に、表示材料として電気泳動分散液を封入した構造を有している。電気泳動分散液は液相分散媒に電気泳動粒子を添加したものである。画素電極と対向電極との間の電位差により電気泳動粒子の分布状態が変化し、その結果、電気泳動分散液の光学特性が変化するので、これを利用して画像や文字の形成を行う。このような電気泳動型ディスプレイとしては、例えば以下の特許文献１〜４に記載されたものがある。
【先行技術文献】
【特許文献】
【０００４】
【特許文献１】特開２００１−１２５１４９号公報
【特許文献２】特開２００６−２２７０５３号公報
【特許文献３】特開２００９−１４５８３３号公報
【特許文献４】特開２０１０−２３１２３０号公報
【発明の概要】
【発明が解決しようとする課題】
【０００５】
ところで、従来の電気泳動型ディスプレイでは、例えば特許文献１の図１にあるように、対向する一対の基板のうちの少なくとも一方の対向面に、接続用電極や外部接続端子、あるいは信号処理回路などが設けられている。その結果、一対の基板の占有面積に占める有効表示領域を縮小せざるを得ない状況であった。
【０００６】
本開示はかかる問題点に鑑みてなされたもので、その目的は、全体に占める有効表示領域の割合の拡大に適した構造の表示装置を提供することにある。
【課題を解決するための手段】
【０００７】
本開示の表示装置は、少なくとも一方が光透過性を有すると共に互いの対向面に第１および第２の電極がそれぞれ設けられた第１および第２の基板と、第１の基板と第２の基板との間に設けられた表示素子とを備える。第１の基板および第１の電極は、第２の基板の端面の少なくとも一部を覆うように折り曲げられた外縁部を有する。
【０００８】
本開示の表示装置では、第１の基板および第１の電極の外縁部が、第２の基板の端面の少なくとも一部を覆うように折り曲げられている。これにより、第２の基板の側から外縁部を介して第１の電極に電圧の供給が可能となるので、第１の基板の外面（第２の基板との対向面と反対側の面）が表示面として利用可能となる。そのうえ、第１および第２の基板の対向面における周縁部においても表示素子を設けることが可能となる。
【発明の効果】
【０００９】
本開示の表示装置によれば、第１の電極と第２の電極との間に所定の電圧を印加することで表示素子の動作を制御することができる。そのうえ、第１の基板および第１の電極の外縁部が折り曲げられていない場合と比較して、全体構造を拡大することなく、より大きな有効表示領域を確保することができる。
【図面の簡単な説明】
【００１０】
【図１】本発明の一実施の形態に係る表示装置の回路構成を表すブロック図である。
【図２】図１に示した表示装置の概略構成を表す上面図および背面図である。
【図３】図１に示した表示装置の一部の構成を表す断面図である。
【図４】図１に示した表示装置の一部の構成を表す断面図である。
【図５】図１に示した表示装置の第１の変形例としての構成を表す断面図である。
【図６】図１に示した表示装置の第２の変形例としての構成を表す断面図である。
【図７】図１に示した表示装置の第３の変形例としての構成を表す断面図である。
【発明を実施するための形態】
【００１１】
以下、本開示の実施の形態について、図面を参照して詳細に説明する。
【００１２】
図１は、本実施の形態としての、電気泳動素子１を用いた表示装置の構成を表す回路図である。この表示装置は、電気泳動現象を利用して画像（例えば文字情報など）を表示する電気泳動型ディスプレイ（いわゆる電子ペーパーディスプレイ）である。この表示装置は、例えば駆動基板１０の上に、文字情報などの画像が表示される主表示部１１０と、その周囲を取り囲む補助表示部１１１とが形成されたものである。駆動基板１０の背面には、例えば映像表示用のドライバである信号線駆動回路１２０および走査線駆動回路１３０が形成されている。
【００１３】
主表示部１１０には、マトリクス状に二次元配置された複数の画素ＰＸと、それらを駆動するための画素駆動回路１５０とが形成されている。画素駆動回路１５０において、列方向（Ｙ軸方向）には複数の信号線１２０Ａ（１２０Ａ１，１２０Ａ２，・・・，１２０Ａｍ，・・・）が配置され、行方向（Ｘ軸方向）には複数の走査線１３０Ａ（１３０Ａ１，１３０Ａ２，・・・，１３０Ａｎ，・・・）が配置されている。各信号線１２０Ａと各走査線１３０Ａとの各交差点に、画素ＰＸが１つずつ設けられている。各画素ＰＸには、駆動トランジスタＴｒと、電気泳動素子１とが設けられている。各信号線１２０Ａは信号線駆動回路１２０に接続され、一方の各走査線１３０Ａは走査線駆動回路１３０に接続されている。
【００１４】
信号線駆動回路１２０は、信号供給源（図示せず）から供給される明るさ情報に応じた映像信号の信号電圧を、信号線１２０Ａを介して選択された画素ＰＸに供給するものである。
【００１５】
走査線駆動回路１３０は、入力されるクロックパルスに同期してスタートパルスを順にシフト（転送）するシフトレジスタなどによって構成されている。走査線駆動回路１３０は、各画素ＰＸへの映像信号の書き込みに際し行単位でそれらを走査し、各走査線１３０Ａに走査信号を順次供給するものである。
【００１６】
画素駆動回路１５０は、駆動基板１０の支持基体１１（後出）と電気泳動素子１との間の階層に設けられている。画素駆動回路１５０は、信号線１２０Ａ、走査線１３０Ａおよび駆動トランジスタＴｒをそれぞれ複数含んで構成されている。駆動トランジスタＴｒは、一般的な薄膜トランジスタ（ＴＦＴ（Thin Film Transistor））により構成され、その構成は例えば逆スタガー構造（いわゆるボトムゲート型）でもよいしスタガー構造（トップゲート型）でもよく特に限定されない。なお、駆動トランジスタＴｒがＴＦＴである場合、チャネル層として無機半導体層を用いた無機ＴＦＴでもよいし、有機半導体層を用いた有機ＴＦＴでもよい。駆動トランジスタＴｒは、例えばゲート電極が走査線１３０Ａと接続されており、走査線駆動回路１３０からの走査信号が供給されるようになっている。また、駆動トランジスタＴｒのソース電極は信号線１２０Ａと接続されており、信号線駆動回路１２０からの映像信号が供給されるようになっている。さらに、駆動トランジスタＴｒのドレイン電極は画素ＰＸにおける電気泳動素子１の一端と接続されている。電気泳動素子１の他端は駆動基板１０と対向配置される対向電極２２（後出）と接続される。
【００１７】
図２に、ＸＹ平面に広がる主表示部１１０を含む表示装置の一構成例を表す。図２（Ａ）は、画像が表示される表示面の側から眺めた上面図であり、図２（Ｂ）は、それとは反対側から眺めた背面図である。また、図３は、図２に示したIII−III線に沿った矢視方向の断面図である。
【００１８】
この表示装置では、図３に示したように、駆動基板１０と対向基板２０とが複数のマイクロカプセル３０Ａからなる電気泳動素子層３０を介して対向配置されている。この表示装置では、対向基板２０の側から画像の観察が可能となっている。
【００１９】
駆動基板１０は、例えば支持基体１１の表面に互いに立体交差する複数の信号線１２０Ａおよび走査線１３０Ａを含む配線層１２と、駆動トランジスタＴｒを含む半導体層１３と、複数の画素電極１４とがこの順に形成されたものである。駆動トランジスタＴｒおよび画素電極１４は、画素ＰＸの配置に応じてマトリクス状に配置されている。さらに、半導体層１３の上には、画素電極１４をＸＹ平面内において取り囲むように（すなわち主表示部１１０を取り囲むように）環状電極１５が設けられている。環状電極１５と対向電極２２との間にも電気泳動素子層３０が設けられており、補助表示部１１１を形成している。
【００２０】
支持基体１１は、例えば、無機材料、金属材料またはプラスチック材料などにより形成されている。無機材料は、例えば、ケイ素（Ｓｉ）、酸化ケイ素（ＳｉＯx ）、窒化ケイ素（ＳｉＮx ）または酸化アルミニウム（ＡｌＯx ）などである。この酸化ケイ素には、ガラスまたはスピンオングラス（ＳＯＧ）などが含まれる。金属材料は、例えば、アルミニウム（Ａｌ）、ニッケル（Ｎｉ）またはステンレスなどである。プラスチック材料は、例えば、ポリカーボネート（ＰＣ）、ポリエチレンテレフタレート（ＰＥＴ）、ポリエチレンナフタレート（ＰＥＮ）またはポリエチルエーテルケトン（ＰＥＥＫ）などである。
【００２１】
この支持基体１１は、光透過性でもよいし、非光透過性でもよい。対向基板２０側において画像が表示されるため、支持基体１１は必ずしも光透過性である必要がないからである。また、支持基体１１は、ウェハなどの剛性を有する基板でもよいし、可撓性を有する薄層ガラスまたはフィルムでもよいが、中でも、後者であることが好ましい。軽量かつフレキシブル（折り曲げ可能）な、取り扱い性に優れた表示装置を実現できるからである。
【００２２】
駆動トランジスタＴｒは、画素を選択するためのスイッチング用素子である。なお、配線層１２および半導体層１３では、信号線１２０Ａおよび走査線１３０Ａ、ならびに駆動トランジスタＴｒが、例えば、ポリイミドなどの絶縁性樹脂材料により埋設されている。
【００２３】
画素電極１４は、例えば、金（Ａｕ）、銀（Ａｇ）もしくは銅（Ｃｕ）などの金属材料、酸化インジウム−酸化スズ（ＩＴＯ）などの化合物、またはその他の合金などの、各種導電性材料により形成されている。この画素電極１４は、例えば半導体層１３に設けられたコンタクトホール（図示せず）を通じて駆動トランジスタＴｒと接続されている。
【００２４】
環状電極１５には、画素電極１４と同様に、半導体層１３に設けられたＴＦＴなどのスイッチング素子（図示せず）を介して電圧が供給されるようになっている。このため、補助表示部１１１は全域に亘って一様な表示（例えば白表示または黒表示）がなされ、主表示部１１０の額縁部分（余白部分）として機能する。なお、スイッチング素子を介して電圧供給をするのではなく、例えば金属配線を別途挿入して外部から環状電極１５へ電圧供給を行ってもよい。同様に、例えばフレキシブルケーブル等により外部回路から環状電極１５への電圧供給を行うことも可能である。但し、そのような金属配線やフレキシブルケーブル等を介して外部回路からの電圧供給により補助表示部１１１の表示駆動を行うには、環状電極１５へ比較的大きなパルス電圧（例えば±１５Ｖ振幅程度）が必要となる。その場合、主表示部１１０において表示する画像用の低振幅信号（例えば３．３Ｖ振幅）に対するノイズが懸念される。これに対し、環状電極１５の直下の半導体層１３にスイッチング素子を設けるようにすれば、主表示部１１０への画像用信号と同程度の低振幅の信号を環状電極１５へ供給することで、補助表示部１１１の表示駆動が可能となる。よって、ノイズ対策を講じる必要性がなく、より簡素な構成を維持できる。
【００２５】
対向基板２０は、例えば、支持基体２１の一面に対向電極２２が全面形成されたものである。すなわち、対向電極２２は、複数の画素に対して共通に設けられた共通電極である。ただし、対向電極２２は、帯状に配置されていてもよい。
【００２６】
支持基体２１は、光透過性であることを除き、支持基体１１と同様の材料により形成されている。対向基板２０側において画像が表示されるため、支持基体２１は光透過性である必要があるからである。対向電極２２は、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）などの光透光性導電性材料（透明電極材料）により形成されている。
【００２７】
対向基板２０側において画像を表示する場合には、対向電極２２を介して電気泳動素子層３０を見ることになるため、その対向電極２２の光透過性（透過率）は、できるだけ高いことが好ましく、例えば、８０％以上である。また、対向電極２２の電気抵抗は、できるだけ低いことが好ましく、例えば、１００Ω／□以下である。
【００２８】
また、対向基板２０の外縁部は、駆動基板１０（支持基体１１）の端面１１ＴＳの少なくとも一部を覆うように折り曲げられており、折り返し部２３を形成している。対向基板２０の折り返し部２３は、駆動基板１０の背面の周縁部（外縁部）をも覆うように形成されている。駆動基板１０の外縁部近傍には外部接続用の共通電位駆動電極４０（以下、単に駆動電極４０と記す）が設けられており、この駆動電極４０と対向電極２２の外縁部とが駆動基板１０の背面において接続されている。また、接続方法については、通常用いられる圧着法や圧接法、半田接合など多種の手法を選択することができる。駆動電極４０は、対向電極２２と、外部に設けられた電源供給回路（図示せず）とを電気的に接続し、対向電極２２へ所定の電位を付与する機能を担うものである。駆動電極４０は、例えば蒸着法やスパッタ法によって金属膜を付着させることで作成することができる。また、駆動電極４０は、粘着性の金属箔テープ等を貼付したものとしてもよい。なお、電源供給回路を駆動基板１０の背面に設け、この回路の電極端子と対向電極２２とを直接接続してもよい。
【００２９】
図４は、図２に示したIV−IV線に沿った矢視方向の断面図である。図４に示した断面には、Ｘ軸方向に延在する走査線１３０Ａが含まれている。走査線１３０Ａは支持基体１１の端縁まで達しており、支持基体１１の端縁には引出部６０が取り付けられている。引出部６０は、支持基体６１の表面に銅などの引出配線６２が形成されたものであり、支持基体１１の端縁から端面１１ＴＳを経由して背面１１ＢＳに至るまで折り返すように延在している。すなわち、引出部６０は、引出配線６２が支持基体１１とほぼ接するように対向基板２０の折り返し部２３と駆動基板１０との間に挟まれている。走査線１３０Ａの端部上面は半導体層１３などによって覆われておらず、他端が走査線駆動回路１３０に接続された引出配線６２の一端と接続されている。したがって、走査線１３０Ａは、引出配線６２を介して走査線駆動回路１３０と接続される。なお、環状電極１５の下層として（支持基体１１と画素電極１４および環状電極１５を含む階層との間に）走査線駆動回路１３０を形成してもよい。その場合、引出配線６２を、走査線駆動回路１３０と接続される電源線および信号線と接続すればよい。これにより、多数の走査線１３０Ａを直接外部へ引き出す必要性がなくなり、構造が簡素化される。信号線駆動回路１２０についても同様の構造を採用することができる。環状電極１５は、半導体層１３と引出部６０との突き合わせ部分をも乗り越えて、支持基体１１の端縁に対応する領域まで覆うように設けられている。また、環状電極１５と、それと対向する対向電極２２との間には電気泳動素子層３０（マイクロカプセル３０Ａ）が隅まで充填されている。よって、駆動基板１０の外縁に至るまで無駄なく補助表示部１１１として機能させることができる。なお、引出部６０の厚さは可能な限り半導体層１３の厚さと同等とすることが望ましい。補助表示部１１１における表示状態の均質性を確保するため、環状電極１５と対向電極２２との間隔を一定に保つことが望ましいからである。
【００３０】
電気泳動素子層３０は、例えば電気泳動素子１を封入した複数のマイクロカプセル３０Ａが密に配列されたものであり、駆動基板１０における対向基板２０と対向する領域の全てに対応して設けられている。なお、マイクロカプセル３０Ａと画素電極１４とは必ずしも同数ずつ存在する必要はない。電気泳動素子１は、電気泳動現象を利用してコントラストを生じさせるものであり、絶縁性液体５１および複数の電気泳動粒子５２を含んでいる。
【００３１】
電気泳動粒子５２が明表示する場合、外部から電気泳動素子１を見たときに視認される電気泳動粒子５２の色は、コントラストを生じさせることができれば特に限定されないが、中でも、白色に近い色が好ましく、白色がより好ましい。一方、電気泳動粒子５２が暗表示する場合、外部から電気泳動素子１を見たときに視認される電気泳動粒子５２の色は、コントラストを生じさせることができれば特に限定されないが、中でも、黒色に近い色が好ましく、黒色がより好ましい。いずれの場合においても、コントラストが高くなるからである。
【００３２】
なお、電気泳動素子１は、マイクロカプセル３０Ａに封入されていなくともよい。その場合、電気泳動素子１は、絶縁性液体５１中に、複数の電気泳動粒子５２と共に、電気泳動粒子５２とは異なる光学的反射特性を有する複数の非泳動粒子を含有する多孔質の構造体、あるいは適当な間隔で配置した隔壁（リブ）によって空間を区切るようにした構造を含むようにしてもよい。
【００３３】
［表示装置の動作］
この表示装置では、図３に示したように、初期状態において、複数の電気泳動粒子５２が対向基板２０から離れた位置に存在している。この場合には、対向基板２０側から電気泳動素子層３０を見ると、コントラストが生じていない（画像が表示されていない）状態にある。
【００３４】
駆動トランジスタＴｒにより所定の画素が選択され、画素電極１４と対向電極２２との間に電圧が印加されて電界が生ずると、電気泳動粒子５２が対向電極２２の近傍に移動する。その結果、電気泳動素子層３０においては、対向基板２０から離れている電気泳動粒子５２と、対向基板２０の近くに存在する電気泳動粒子５２とが併存することとなる。その結果、対向基板２０側から電気泳動素子層３０を見ると、コントラストが生じている状態になる。これにより、画像が表示される。
【００３５】
［実施の形態の効果］
このように、本実施の形態では、光透過性を有する対向基板２０の外縁部が、駆動基板１０の支持基体１１の端面１１ＴＳおよび背面１１ＢＳを覆うように折り曲げられた折り返し部２３となっている。折り返し部２３の対向電極２２は、駆動基板１０の背面１１ＢＳに設けられた駆動電極４０と接続されている。こうすることにより、駆動基板１０に設けられた駆動電極４０を介して対向電極２２へ電圧供給が可能となるので、対向電極２２および駆動電極４０に所定の電圧を印加することで電気泳動素子１の動作を制御することができる。その結果、主表示部１１０および補助表示部１１１に画像を表示することができ、対向基板２０の側からその画像を観察することができる。そのうえ、駆動基板１０および対向基板２０における、互いの対向面の周縁部まで電気泳動素子１を充填することが可能となる。そのため、駆動基板１０および対向基板２０の外縁部が折り曲げられていない場合と比較して、全体構造を拡大することなく、より大きな有効表示領域を確保することができる。
【００３６】
以上、実施の形態を挙げて本技術を説明したが、本技術は実施の形態で説明した態様に限定されず、種々の変形が可能である。例えば、上記実施の形態では、第１の基板としての対向基板２０の外縁部を、第２の基板としての駆動基板１０の背面に至るまで回り込むようにしたが、本技術はこれに限定されるものではない。例えば、図５に示した第１の変形例のように、対向基板２０の外縁部が、駆動基板１０の端面１１ＴＳと対向する位置まで延在するようにし、駆動基板１０の背面については覆わないようにしてもよい。その場合、駆動電極４０Ａを支持基体１１における端面１１ＴＳから背面１１ＢＳに至るまで連続的に設けるようにすれば、対向電極２２と駆動電極４０Ａとの電気的接続が確保される。
【００３７】
また、上記実施の形態では、複数のマイクロカプセル３０Ａからなる電気泳動素子層３０を例示して説明するようにしたが、電気泳動素子層３０はこの態様に限定されるものではない。例えば、図６に示した第２の変形例のように、絶縁性液体５１および複数の電気泳動粒子５２をマイクロカプセルに封入することなく、そのまま駆動基板１０と対向基板２０との間に封入するようにしてもよい。この場合、絶縁性液体５１および電気泳動粒子５２のうち、各画素電極１４と対応する領域に存在する部分が電気泳動素子１となる。
【００３８】
また、上記実施の形態では、表示素子として電気泳動素子を用いた表示装置（電気泳動型ディスプレイ）について説明したが、本技術はこれに限定されるものではない。本技術は、例えば図７に示した第３の変形例のように、電気泳動素子の代わりに液晶表示素子を表示素子用いた表示装置（液晶表示装置）にも適用可能である。この液晶表示装置は、電気泳動素子層３０の代わりに液晶層７０を備えることを除いては、上記実施の形態の表示装置と同様の構成である。具体的には、この液晶表示装置では、駆動基板１０と対向基板２０との間に、複数の液晶分子を含む液晶層７０が封入されている。液晶層７０に含まれる液晶分子の種類は任意に選択可能である。この液晶表示装置は、他に、例えば位相差板、偏光板、配向膜およびバックライトユニットなどの他の構成要素（いずれも図示せず）を備えていてもよい。なお、この液晶表示装置を駆動させるための回路は、図１に示したものと同様である。
【００３９】
この液晶表示装置では、駆動トランジスタＴｒにより所定の液晶表示素子が選択され、その画素電極１４と対向電極２２との間に電界が印加されると、その電界強度に応じて液晶層７０における液晶分子の配向状態が変化する。これにより、液晶分子の配向状態に応じて光の透過量（透過率）が制御されるため、階調画像が表示される。ここでは液晶層７０のうち各画素電極１４と対応する領域に存在する部分が液晶表示素子１Ｓとなり、その液晶表示素子１Ｓを単位として画像表示がなされる。このような液晶表示装置においても、上記実施の形態の電気泳動素子を用いた表示装置と同様の効果が得られる。すなわち、折り返し部２３を有することで、全体構造を拡大することなく、より大きな有効表示領域を確保することができる。
【００４０】
また、本技術は以下のような構成を取り得るものである。
（１）
少なくとも一方が光透過性を有すると共に互いの対向面に第１および第２の電極がそれぞれ設けられた第１および第２の基板と、
前記第１の基板と前記第２の基板との間に設けられた表示素子とを備え、
前記第１の基板および第１の電極は、前記第２の基板の端面の少なくとも一部を覆うように折り曲げられた外縁部を有する。
表示装置。
（２）
前記第１の電極の外縁部は、前記第２の基板に設けられた第３の電極と接続されている
上記（１）記載の表示装置。
（３）
前記第１の基板および第１の電極の外縁部は、前記第２の基板の背面の少なくとも一部をも覆うように折り返されている
上記（２）記載の表示装置。
（４）
前記第３の電極は、前記第２の基板の背面に設けられている
上記（３）記載の表示装置。
（５）
前記第１の電極は複数の画素に対して共通に設けられた共通電極であり、
前記第２の電極は前記画素ごとに複数設けられた画素電極であり、
前記第３の電極は前記第１の電極の電位を決定する駆動電極である
上記（２）から（４）のいずれか１つに記載の表示装置。
（６）
前記表示素子は、前記第２の基板の対向面の全てに対応して設けられている
上記（１）から（５）のいずれか１つに記載の表示装置。
（７）
前記第２の基板と前記第２の電極との間に、互いに交差するように設けられた複数の第１および第２の信号線を備え、
前記複数の第１の信号線のうちの少なくとも一端と、前記複数の第２の信号線のうちの少なくとも一端とが、それぞれ前記第２の基板の端面から背面へ至るまで折り返されている
上記（１）から（６）のいずれか１つに記載の表示装置。
（８）
前記第２の基板の背面に、前記第１および第２の信号線へ信号を供給する信号処理回路が設けられている
上記（１）から（７）のいずれか１つに記載の表示装置。
（９）
前記第２の基板の上面に、前記第１および第２の信号線へ信号を供給する信号処理回路が設けられている
上記（１）から（７）のいずれか１つに記載の表示装置。
（１０）
前記表示素子は電気泳動素子であって、
絶縁性液体中に、複数の電気泳動粒子と、前記電気泳動粒子とは異なる光学的反射特性を有する複数の非泳動粒子を含有する多孔質の構造体とを含む
上記（１）から（９）のいずれか１つに記載の表示装置。
【符号の説明】
【００４１】
１…電気泳動素子、１０…駆動基板、１１…支持基体、１２…配線層、１３…半導体層、１４…画素電極、１５…環状電極、２０…対向基板、２１…支持基体、２２…対向電極、３０…電気泳動素子層、３０Ａ…マイクロカプセル、４０…共通電位駆動電極、５１…絶縁性液体、５２…電気泳動粒子、７０…液晶層、１１０…主表示部、１１１…補助表示部、１２０…信号線駆動回路、１２０Ａ…信号線、１３０…走査線駆動回路、１３０Ａ…走査線、１５０…画素駆動回路、ＰＸ…画素。
【図１】
2012215841.tif 000003
【図２】
2012215841.tif 000004
【図３】
2012215841.tif 000005
【図４】
2012215841.tif 000006
【図５】
2012215841.tif 000007
【図６】
2012215841.tif 000008
【図７】
2012215841.tif 000009